(57)【要約】      （修正有）【課題】掲示物の同時表示機能、及び掲示物の記載内容に関する情報の選択的出力機能を満たす掲示板システムを提供する。【解決手段】掲示物３を特定する識別情報９と掲示物に記載された個別情報とを備えた掲示物、及び掲示物を掲示する掲示領域２と、掲示物に関する情報を有する掲示物情報を取得する手段と、掲示領域に掲示された掲示物又は個別情報の掲示位置を検出する手段と、掲示物の掲示位置を登録する手段と、掲示物及び個別情報の掲示位置を対応づける手段と、個別情報に関する情報を選択可能に内部又は外部から取得する手段と、個別情報を特定する手段と、関連情報を出力する手段７，８と、を備えることを特徴とする掲示板システムを提供する。【選択図】    図１
2006011422.tif 000002
【特許請求の範囲】
【請求項１】
掲示物を特定する識別情報を備えた掲示物と、
前記掲示物に関連する掲示物情報と、
掲示物を掲示する掲示領域と、
前記掲示領域に掲示された掲示物を識別情報に基づき特定し、掲示領域に掲示された掲示物の掲示物情報を取得する掲示物情報取得手段と、
該掲示領域に掲示された掲示物又は個別情報の掲示位置を検出する掲示位置検出手段と、
前記掲示物の掲示位置を登録する登録手段と、
掲示物の掲示位置及び掲示物情報に基づき、前記掲示物及び個別情報の掲示位置を対応づける対応づけ手段と、
個別情報及びその掲示位置情報と関連する関連情報を選択可能に内部又は外部から取得する関連情報取得手段と、
前記個別情報を接触又は非接触により指定する位置検出手段と、
前記関連情報を出力する情報出力手段と、
を備えた掲示板とからなることを特徴とする掲示板システム。
【請求項２】
前記掲示物情報は、掲示物を特定する識別情報、及び掲示物又は掲示される個別情報の位置情報及び関連情報のリンク情報を含むことを特徴とする請求項１に記載の掲示板システム。
【請求項３】
前記リンク情報に基づき、関連情報取得手段により掲示物又は掲示される個別情報の関連情報を掲示板内部の記録手段、外部記憶手段、又は外部ネットワークを介して接続されるサーバから取得することを特徴とする請求項２に記載の掲示板システム。
【請求項４】
前記掲示物情報は、読み出し可能に保持してなるＲＦＩＤタグに記録され、
前記掲示物は、前記ＲＦＩＤタグを備えていることを特徴とする請求項１乃至請求項３に記載の掲示板システム。
【請求項５】
前記掲示板システムで利用可能な掲示物であり、掲示物情報を読出し可能に保持してなるＲＦＩＤタグを備えていることを特徴とする掲示物。
【請求項６】
前記掲示物情報は読み出し可能に保持してなる二次元バーコードとして記録され、
前記掲示物は前記二次元バーコードを備えていることを特徴とする請求項１乃至請求項３に記載の掲示板システム。
【請求項７】
前記掲示板システムで利用可能な掲示物であり、掲示物情報を読出し可能に保持してなる二次元バーコードを備えていることを特徴とする掲示物。
【発明の詳細な説明】
【技術分野】
【０００１】
本発明は、ポスターや告知等の掲示物を掲示する掲示板システムに関するものであり、掲示領域の掲示位置が検知可能である掲示板システムに関するものである。また掲示物に記載された個別情報の位置情報を記憶させたＲＦＩＤタグ又は二次元バーコードと掲示物を組み合わせたものである。また、掲示板に掲示された掲示物に記載された個別情報の指定により、個別情報の関連情報を提供する機能を有する掲示板システムに関する。
【背景技術】
【０００２】
掲示物は、印刷又は手書き等の手段にかかわらず、文字情報に加え、写真やイラスト等の画像情報の表示にも適した媒体である。情報を表示する別の媒体である電子ディスプレイと比較した場合、掲示物のメリットは、任意の大きさのものを容易に作ることができる、複数の掲示物を任意にレイアウトでき、また同時に表示することができる、安価である、等様々である。
【０００３】
この特徴を活かした情報表示システムの一つとして掲示板が挙げられる。例えば、駅や公民館等公共施設に設置される掲示板には、数多くの掲示物が貼りつけられており、大きいものは例えばＡ０サイズのポスターであり、小さいものは例えばＢ５サイズの告知案内である。閲覧者は、種々の掲示物を同時に閲覧することができる。
【０００４】
このような掲示板において、大きな問題が二点考えられる。一つは、表示情報の更新が困難なことであり、もう一つは、いわゆるインタラクティブ性が無い、すなわち閲覧者が掲示板内の掲示物に記載されている特定の情報について更に詳しく選択取得していくことができないことである。例えば前者はコンサートの空席状況や桜祭の開花状況のように刻々と変化していく情報等であり、後者はコンサートの出演者に関する詳細情報等である。
【０００５】
一方、電子ディスプレイとタッチパネル等の入力機器、更にネットワークサーバと繋がったコンピュータからなる情報表示システムでは、前記二点の問題を解決することが可能である。すなわち、閲覧者が電子ディスプレイ内に表示されている特定情報をタッチパネルやキーボード等により選択すると、コンピュータやネットワークサーバ内のその情報に関する最新情報や詳細情報が電子ディスプレイに表示される。
【０００６】
しかしながら、前記電子ディスプレイ等による情報表示システムでは、電子ディスプレイの表示可能領域に限度がある。そのままの大きさで表示しようとすると複数の情報を同時に表示できず、縮小しなければならない等、情報の一覧性に問題がある。
【０００７】
また、詳細情報の選択的表示機能に関して、次に述べるような問題もある。無線通信を利用し、非接触で内部に内蔵したＩＣチップから情報を入出力することが可能であるＲＦＩＤタグは、様々な目的で使用されている。
特許文献１では、ＲＦＩＤタグ付きポスターが提案されている。これは、ポスターと同一又は一部の情報を記録したＲＦＩＤタグを取り付けたポスターであり、携帯型リーダライタを用いてＲＦＩＤタグに記録された情報を読み取ることが可能である。
特許文献２では、情報を提供する媒体や商品に予め記憶している記憶情報の読出しが可能な無線タグを添付しておくことを特徴とする情報提供方法が提案されている。特許文献３ではＩＣチップ入りペーパを用いた情報伝達方法が提案されている。地図やテレビジョン放送番組表において、ＩＣ部分に、当該ＩＣが埋め込まれた位置の情報を記録し、情報提供装置への情報入力媒体として用いる情報伝達方法である。
【０００８】
これらの方法を用いると、例えばＲＦＩＤタグにネットワークサーバ上の情報へのリンク情報を記録しておき、リーダーでＲＦＩＤタグに記録されたリンク情報を読み取り、リンク先の情報を表示させることが可能である。
しかし、ＲＦＩＤタグに複数のリンク先が記録されていたり、あるいはリンク先に複数の情報が記録されている等、閲覧者が複数の情報から任意の情報を選択する形態である場合、簡単な操作を行なうことにより、任意の情報を選択的にかつ即座に表示させることは困難である。すなわち、まず物品を見たうえでＲＦＩＤタグに記録されている情報を読み取り、内容を確認してから任意の情報を選択するという手順を踏まねばならない。閲覧者は任意の情報を取得するまでに不要な情報を何度も見なければならないということになりかねない。
【０００９】
上述の問題を解決するために有効な手段は、掲示物に接触する等の方法により、記載された個別情報を直接指定し、その個別情報に関する情報のみを取得することである。掲示物に記載された個別情報を接触することによって指定する方法は、最も簡単かつ閲覧者の意図を正確に反映させ易い操作方法の一つである。
閲覧者が選択した個別情報を掲示物に接触することにより指定する方法としては、掲示物に記載された個別情報の掲示物内における位置情報を記録したＲＦＩＤタグと、掲示物が掲示されている位置及び閲覧者が指定した位置を検出する手段を有する掲示板とを組み合わせることが挙げられる。
この方法によれば、必要としない他の個別情報に関する情報を見なければならないという煩雑さを解消することが可能である。
【００１０】
上述してきたように、掲示板という情報表示システムに求められる機能は、掲示物方式によって実現される任意の寸法、形状の複数情報を同時に表示する機能と、掲示物に含まれる個別情報の関連情報を選択的に出力する機能である。しかし、現状では両機能を満たす掲示板は見当たらない。
【００１１】
【特許文献１】特開２００２−１６２９１８号公報
【特許文献２】特開２００２−２６８５９３号公報
【特許文献３】特開２０００−２８５２０３号公報
【発明の開示】
【発明が解決しようとする課題】
【００１２】
本発明の目的は、複数の情報を同時に表示する機能と掲示物に含まれる個別情報の関連情報を選択的に出力する機能の両機能を一つの情報表示システムで満たすことである。
【課題を解決するための手段】
【００１３】
前記目的を実現するために、本発明では以下のような手段を講じる。
すなわち、第一に、
掲示物を特定する識別情報を備えた掲示物と、
前記掲示物に関連する掲示物情報と、
掲示物を掲示する掲示領域と、
前記掲示領域に掲示された掲示物を識別情報に基づき特定し、掲示領域に掲示された掲示物の掲示物情報を取得する掲示物情報取得手段と、
該掲示領域に掲示された掲示物又は個別情報の掲示位置を検出する掲示位置検出手段と、
前記掲示物の掲示位置を登録する登録手段と、
掲示物の掲示位置及び掲示物情報に基づき、前記掲示物及び個別情報の掲示位置を対応づける対応づけ手段と、
個別情報及びその掲示位置情報と関連する関連情報を選択可能に内部又は外部から取得する関連情報取得手段と、
前記個別情報を接触又は非接触により指定する位置検出手段と、
前記関連情報を出力する情報出力手段と、
を備えた掲示板とからなることを特徴とする掲示板システムである。
【００１４】
第二に、前記掲示物情報は、掲示物を特定する識別情報、及び掲示物又は掲示される個別情報の位置情報及び関連情報のリンク情報を含むことを特徴とする請求項２に記載の掲示板システムである。
【００１５】
第三に、前記リンク情報に基づき、関連情報取得手段により掲示物又は掲示される個別情報の関連情報を、掲示板内部の記憶手段、外部記憶手段、又は外部ネットワーク等を介して接続されるサーバから取得することを特徴とする前記掲示板システムである。
【００１６】
第四に、前記掲示物情報は、読み出し可能に保持してなるＲＦＩＤタグに記録され、
前記掲示物は、前記ＲＦＩＤタグを備えていることを特徴とする請求項１乃至請求項３に記載の掲示板システムである。
【００１７】
第五に、前記掲示板システムで利用可能な掲示物であり、掲示物情報を読出し可能に保持してなるＲＦＩＤタグを備えていることを特徴とする掲示物である。
【００１８】
第六に、前記掲示物情報は読み出し可能に保持してなる二次元バーコードとして記録され、
前記掲示物は前記二次元バーコードを備えていることを特徴とする請求項１乃至請求項３に記載の掲示板システムである。
第七に、前記掲示板システムで利用可能な掲示物であり、掲示物情報を読出し可能に保持してなる二次元バーコードを備えていることを特徴とする掲示物である。
【発明の効果】
【００１９】
本発明によれば、掲示板に複数の掲示物を掲示することが可能であるうえ、更に掲示物又は掲示物に記載された個別情報の関連情報を選択的に出力することが可能である掲示板システムを提供することが可能となる。
【００２０】
具体的には、掲示物情報取得手段を有する掲示板に掲示物を掲示することにより、掲示物又は掲示物に記載された各画像や文字からなる個別情報の位置情報が、掲示板の掲示領域における掲示位置と対応づけられ、登録される。
例えば閲覧者が指等で掲示物に接触し、掲示物に記載された個別情報を選択した場合、個別情報の掲示物内における位置領域情報及び掲示板の位置検出手段により得られた掲示位置から、閲覧者が選択した個別情報を特定することが可能となる。
すると掲示物に記載された個別情報の関連情報等へのリンク情報等を含む掲示物情報により、特定された個別情報の関連情報が格納されているネットワークサーバ等のリンク先にアクセスして、特定された個別情報の関連情報を取得することが可能となる。
関連情報とは、掲示物に記載された個別情報が指定された場合に出力される文字、音声、画像、動画像等の情報をいう。取得した関連情報は、スピーカーや電子ディスプレイ等の情報出力手段により、閲覧者に提供される。
【００２１】
これにより、本発明の目的である掲示板において求められる二つの機能、すなわち複数の情報を同時に表示する機能と、掲示物に記載された個別情報の関連情報を選択的に表示する機能の両機能を満たす掲示板システムを提供することが可能となる。
【００２２】
また、掲示物情報がＲＦＩＤタグに記録され、前記ＲＦＩＤタグを備えた掲示物を利用した掲示板システムでは、掲示物を掲示するときに、掲示者に負担をかけることなく、簡便に登録作業を進めることが可能である。さらに、掲示板から掲示物が剥れた場合、そのことを検知することが可能である。
【００２３】
また、掲示物情報が二次元バーコードに保持され、前記二次元バーコードを備えた掲示物を利用した掲示板システムでは、掲示板にアンテナを設置したり掲示物にＲＦＩＤタグを備え付ける必要がなく、費用の削減が可能である。また、携帯電話を含む携帯端末を用いて操作することも可能である。
【発明を実施するための最良の形態】
【００２４】
以下、本発明による掲示板システムの実施の形態と手順について、図面を参照して詳述する。図１に、本発明の構成を示す。まず、掲示板システムの掲示領域２に、掲示位置検出手段１８及び個別情報を指定する位置検出手段４１として、タッチパネルを用いる。
この場合、掲示位置検出手段１８と位置検出手段４１は同一の手段であるとみなすことができる。したがって、登録時の形態について図４を参照してする場合は、位置検出手段４１を掲示位置検出手段１８に置き換える。掲示領域２には、一部以上の様々な大きさや形状からなる掲示物３を任意の位置に掲示することが可能である。
掲示板システムの処理装置４には、ネットワークサーバ６がＬＡＮケーブル５を介して接続されている。ネットワークサーバ６には、掲示物３に記載された個別情報の関連情報が格納されている。
また、掲示板システムには前記関連情報を出力する情報出力手段として、スピーカー７及び電子ディスプレイ８が接続されている。図１では電子ディスプレイ８が掲示領域２の内部に配置されているが、掲示領域２の外部に配置しても構わない。
【００２５】
次に、掲示物について説明する。掲示物は紙やフィルム等からなり、掲示物を特定する識別情報を備え、画像又は文字等の情報からなる個別情報が最低一つ記載されている。（図２、６、９参照）
掲示物を特定する識別情報は掲示物のＩＤ番号等であり、掲示物情報とひもづいている。例えば掲示物情報がネットワークサーバ６や記憶手段１９に格納されている場合は、識別情報を入力することにより、掲示物情報を取得することが可能となる。ＲＦＩＤタグや二次元バーコードを備えた掲示物の場合は、識別情報とは例えばＲＦＩＤタグ又は二次元バーコードのＩＤ番号である。
【００２６】
掲示物情報は、掲示物又は個別情報又はＲＦＩＤタグ又は二次元バーコードのＩＤ番号等の識別情報、掲示物に記載されている各画像又は文字等の情報からなる個別情報（図２の各画像１０ａ、１０ｂ、１０ｃ、１０ｄ、文字１１ａ、１１ｂ、１１ｃ参照）の掲示物内における位置情報又は前記位置情報へのリンク情報、及び／又はローカルコンピュータやネットワークサーバ等に格納されている個別情報の関連情報へのリンク情報を含む。
掲示物情報は、例えばネットワークサーバ６や記憶手段１９、ＲＦＩＤタグ９、二次元バーコード３８等に格納されている。
【００２７】
次に、掲示板への掲示物の掲示及び登録について説明する。
図３、図７、図１０において、掲示物の掲示位置登録１７は登録手段によって、各情報の掲示位置への対応づけ２０は対応づけ手段によって、関連情報の取得２１は関連情報取得手段によって、行われる。つまり、処理手段１６は、登録手段、対応づけ手段、関連情報取得手段を含む。
まず、一つ以上の個別情報が印刷された、ＲＦＩＤタグや二次元バーコード等が備わっていない掲示物を掲示板に掲示する場合について、主に図３を参照して説明する。
掲示物検知手段１４は掲示領域２に掲示物３が掲示されたことを検知する。掲示物検知手段１４は掲示板に備え付けられた操作ボタンであっても、携帯電話等の携帯端末であってもよく、ＩＤ番号等の掲示物を特定する識別情報が入力されることにより、掲示物が掲示されたことを検知する。
【００２８】
掲示物検知手段１４により、掲示物３が掲示領域２に掲示されたことが検知されると、掲示物情報取得手段１５は識別情報に基づき、ネットワークサーバ６に、あるいは記憶手段１９等に格納されている掲示物情報を取得する。続いて、処理手段１６は、掲示物情報に含まれる識別情報を調べ、当該掲示物の掲示物情報であることを確認する。
【００２９】
その後、処理手段１６は、掲示領域２に掲示された掲示物３について掲示位置２２の登録作業１７を行う。すなわち、処理手段１６において、図１記載のスピーカー７又は電子ディスプレイ８を用い、掲示物３を掲示した者に、掲示物３の領域を接触位置検出手段１８により入力するように促す。例えば、多くの掲示物の形状は四角形であることから、掲示物３の四隅を左上から時計周り方向に順に接触するように促す。
入力が完了したら、確認のため再度左上隅を触るように促す。これにより、掲示物３の掲示位置が検出される。処理手段１６は、検出した掲示位置を記憶手段１９に記録する。これにより、掲示物３の掲示位置登録作業１７が完了する。
【００３０】
それから処理手段１６により、掲示物３に記載された画像又は文字情報（図２１０ａ、１０ｂ、１０ｃ、１０ｄ、１１ａ、１１ｂ、１１ｃ参照）等からなる各個別情報の掲示物内における位置情報を、掲示領域２上の掲示位置と対応づける作業２０が行われる。対応づけられた位置情報は、各情報の掲示位置２２（図４参照）として記憶手段１９に記録される。
【００３１】
更に、場合によってはリンク先の情報量や記憶手段１９の記憶容量を考慮し、都合に合わせて、処理手段１６により、前記個別情報の関連情報を掲示物情報に含まれるリンク先から取得する作業２１を行い、記憶手段１９に記録する。処理手段１６は、一定時間が経過する毎にリンク先に接続し、情報の更新があった場合には更新を行う。
各個別情報の関連情報を記憶手段１９に記録する作業にかえて、各個別情報の関連情報へのリンク情報を記憶手段１９に記録しても構わない。また、閲覧者が掲示物３に接触３２した際に、位置検出手段４１により検出した掲示位置と掲示物情報を処理し、リンク先から関連情報を取得してもよい。
【００３２】
その他、上述の各場合における情報の記録は、記憶手段１９に限らず、掲示板システム内部又は外部に別途備えられた記憶手段を用いて行なっても構わない。
【００３３】
次に、掲示領域２に掲示された任意の掲示物３の任意の箇所に掲示板１の閲覧者が接触３２した場合の実施手順について、図４及び図５を用いて説明する。
まず、位置検出手段４１により、閲覧者が接触３２した掲示領域２上の掲示位置が検出される。更に、処理手段１６により、記憶手段１９から各情報の掲示位置２２が読み出され、接触された位置に対応する個別情報が特定される２３。
これに基づき、処理手段１６により特定された個別情報の関連情報２４が記憶手段１９又はネットワークサーバ６等のリンク先から読み出される。読み出された情報は、音声情報の場合はスピーカー７によって出力され、画像情報の場合は電子ディスプレイ８によって出力される２５。
【００３４】
次に、ＲＦＩＤタグを備える掲示物を利用する掲示板システムの実施形態の一例について説明すると、各掲示物３には、図６に示すように、ＲＦＩＤタグ９が貼付されている。
例えば図８によるとＲＦＩＤタグリーダーアンテナ３４を掲示領域２に配し、ＲＦＩＤタグリーダーアンテナ３４がＲＦＩＤタグリーダーコントローラ３５を介して処理手段１６と接続している。これにより、掲示物３が掲示領域２にある限り、掲示物３のどの部分にＲＦＩＤタグ９を貼付してもこれを検知し、情報を読み出すことが可能である。
この方法にかかわらず、ＲＦＩＤタグを検知し、情報を読み出すことができる範囲であれば、ＲＦＩＤタグはどこに貼付しても構わない。ＲＦＩＤタグ９には、あらかじめ次の情報が記録されている。すなわち、ＲＦＩＤタグ９のＩＤ番号（掲示物を特定する識別情報）、記載されている個別情報（各画像１０ａ、１０ｂ、１０ｃ、１０ｄ、文字１１ａ、１１ｂ、１１ｃ）の掲示物内における位置情報又は位置情報へのリンク情報（位置領域１２ａ、１２ｂ、１２ｃ、１２ｄ、１３ａ、１３ｂ、１３ｃ）、及びネットワークサーバ６や記憶手段１９等に格納されている前記個別情報の関連情報へのリンク情報である。
【００３５】
次に、実施手順について説明する。まず、掲示物３が掲示領域２に掲示された場合の実施手順を図４及び図７を用いて説明する。ＲＦＩＤタグ検知手段３６により、掲示領域２上にＲＦＩＤタグ９が検出される。続いて、ＲＦＩＤタグ情報取得手段３７により、ＲＦＩＤタグ９中に記録されている情報が取得される。続いて、処理手段１６は、ＲＦＩＤタグ９のＩＤ番号を調べ、掲示物に貼付されたＲＦＩＤタグであることを確認する。
【００３６】
その後、処理手段１６は、掲示領域２に掲示された掲示物３について掲示位置２２の登録作業１７を行う。すなわち、処理手段１６において、スピーカー７又は電子ディスプレイ８を用い、掲示物３を掲示した者に、掲示物３の領域を掲示位置検出手段１８により入力するように促す。
例えば、多くの掲示物の形状は四角形であることから、掲示物３の四隅を左上から時計周り方向に順に接触するように促す。入力が完了したら、確認のため再度左上隅を触るように促す。これにより、掲示物３の掲示位置が検出される。処理手段１６は、検出した掲示位置を記憶手段１９に記録する。これにより、掲示物３の掲示位置登録作業１７が完了する。
【００３７】
それから処理手段１６により、掲示物３に記載された画像又は文字情報（１０ａ、１０ｂ、１０ｃ、１０ｄ、１１ａ、１１ｂ、１１ｃ）等からなる各個別情報の位置情報を、掲示領域２上の掲示位置と対応づける作業２０が行われる。対応づけられた位置情報は、各情報の掲示位置２２として記憶手段１９に記録される。
【００３８】
更に、場合によってはリンク先の情報量や記憶手段１９の記憶容量を考慮し、都合に合わせて、処理手段１６により、前記個別情報の関連情報をＲＦＩＤタグ９に記録されているリンク先から取得する作業２１を行い、記憶手段１９に記録する。
処理手段１６は、一定時間が経過する毎にリンク先に接続し、情報の更新があった場合には更新を行う。
各個別情報の関連情報を記憶手段１９に記録する作業にかえて、各個別情報の関連情報へのリンク情報を記憶手段１９に記録しても構わない。
また、閲覧者が掲示物３に接触３２した際に、掲示位置検出手段１８により検出した掲示位置とＲＦＩＤタグ９に記録された情報を処理し、リンク先から関連情報を取得してもよい。
【００３９】
その他、上述の各場合における情報の記録は、記憶手段１９に限らず、掲示板システム内部又は外部に別途備えられた記憶手段を用いて行なっても構わない。
【００４０】
掲示領域２に掲示された任意の掲示物３の任意の箇所に掲示板１の閲覧者が接触３２した場合の実施手順については、前記説明と同様である。
【００４１】
次に、二次元バーコードを備える掲示物を利用する掲示板システムについて説明する。各掲示物３には、二次元バーコードが印刷されている。二次元バーコードリーダーで読取れる範囲であれば、二次元バーコードは掲示物のどの部分に印刷されていても構わない。
【００４２】
二次元バーコードには、次の情報が含まれている。すなわち、掲示物を特定する識別情報（二次元バーコードのＩＤ番号等）、記載されている個別情報（各画像１０ａ、１０ｂ、１０ｃ、１０ｄ、文字１１ａ、１１ｂ、１１ｃ）の掲示物内における位置情報又は位置情報へのリンク情報（位置領域１２ａ、１２ｂ、１２ｃ、１２ｄ、１３ａ、１３ｂ、１３ｃ）、及びネットワークサーバ６や記憶手段１９等に格納されている前記個別情報の関連情報へのリンク情報である。若しくはそれらの情報へのリンク情報であってもよい。
【００４３】
次に、実施手順について説明する。まず、掲示物３が掲示領域２に掲示された場合の実施手順を図４及び図１０を用いて説明する。二次元バーコード読取手段３９により、掲示領域２上に二次元バーコード３８を読取る。例えば携帯電話で二次元バーコードを撮影してデータを取込む。続いて、二次元バーコード情報取得手段４０により、二次元バーコード３８中に記録されている情報が取得される。
続いて、処理手段１６は、二次元バーコード３８のＩＤ番号等の掲示物を特定する識別情報を調べ、掲示物に貼付された二次元バーコードであることを確認する。
【００４４】
若しくは、二次元バーコードのデータが掲示物情報へのリンク情報であった場合は、リンク先から識別情報を取得し、掲示物に貼付された二次元バーコードであることを確認する。
【００４５】
その後、処理手段１６は、掲示領域２に掲示された掲示物３について掲示位置２２の登録作業１７を行う。すなわち、処理手段１６において、スピーカー７又は電子ディスプレイ８を用い、またはネットワークを介して携帯電話等の携帯端末により、掲示物３を掲示した者に、掲示物３の領域を掲示位置検出手段１８により入力するように促す。
例えば、多くの掲示物の形状は四角形であることから、掲示物３の四隅を左上から時計周り方向に順に接触するように促す。入力が完了したら、確認のため再度左上隅を触るように促す。これにより、掲示物３の掲示位置が検出される。処理手段１６は、検出した掲示位置を記憶手段１９に記録する。これにより、掲示物３の掲示位置登録作業１７が完了する。
【００４６】
それから処理手段１６により、掲示物３に記載された画像又は文字情報（１０ａ、１０ｂ、１０ｃ、１０ｄ、１１ａ、１１ｂ、１１ｃ）等からなる各個別情報の位置情報を、掲示領域２上の掲示位置と対応づける作業２０が行われる。対応づけられた位置情報は、各情報の掲示位置２２として記憶手段１９に記録される。
【００４７】
更に、場合によってはリンク先の情報量や記憶手段１９の記憶容量を考慮し、都合に合わせて、処理手段１６により、前記個別情報の関連情報を二次元バーコード３８に記録されているリンク先から取得する作業２１を行い、記憶手段１９に記録する。処理手段１６は、一定時間が経過する毎にリンク先に接続し、情報の更新があった場合には更新を行う。
各個別情報の関連情報を記憶手段１９に記録する作業にかえて、各個別情報の関連情報へのリンク情報を記憶手段１９に記録しても構わない。
また、閲覧者が掲示物３に接触３２した際に、掲示位置検出手段１８により検出した掲示位置と二次元バーコード３８に記録された情報を処理し、リンク先から関連情報を取得してもよい。
【００４８】
その他、上述の各場合における情報の記録は、記憶手段１９に限らず、掲示板システム内部又は外部に別途備えられた記憶手段を用いて行なっても構わない。
【００４９】
次に、掲示領域２に掲示された任意の掲示物３の任意の箇所に掲示板１の閲覧者が接触３２した場合の実施手順について、図４を用いて説明する。
まず、位置検出手段４１により、閲覧者が接触３２した掲示領域２上の掲示位置が検出される。更に、処理手段１６により、記憶手段１９から各情報の掲示位置２２が読み出され、接触された位置に対応する個別情報が特定される２３。
これに基づき、処理手段１６により特定された個別情報の関連情報２４が記憶手段１９又はネットワークサーバ６等のリンク先から読み出される。読み出された情報は、音声情報の場合はスピーカー７によって出力され、画像情報の場合は電子ディスプレイ８によって出力される。
【実施例】
【００５０】
以下、本発明の実施例として、図１及び４〜８を参照して説明する。まず本発明における掲示板の一例として、光走査型のタッチパネルを使用した掲示板について説明する。
掲示領域２にタッチパネル機能を付した掲示板１を図１に示す。掲示板１の大きさは高さ１ｍ、幅３ｍである。図５に示すように、掲示領域２の外側に設けた二つの光走査部２６ａ、２６ｂ内に発光素子２７ａ、２７ｂとポリゴンミラー２８ａ、２８ｂを配置し、タッチパネル面に対して平行に光を走査する。
走査された光は、光路の例３０によれば、掲示領域２外側に設けた再帰性反射部材２９により、走査時と同じ光路３０で反射し、受光素子３１ａ、３１ｂで検出される。本実施例では、発光素子２７ａ、２７ｂに赤外線レーザーダイオードを用いる。指等で掲示領域２の任意の箇所を指定すると３２、光がその位置を走査した際には反射光が戻らない。
そのため、掲示領域２において、掲示物３を掲示する者や閲覧者が接触した位置を検出することが可能となる。光走査の駆動および光検出信号の直接的な制御は、汎用のタッチパネルコントローラ３３により行う。
【００５１】
なお、本実施例では掲示領域２に使用するタッチパネルの方式として光走査型を用いた掲示板を例に挙げているが、これ以外に、抵抗方式等他方式のタッチパネルを用いても構わない。
【００５２】
次に、掲示物３と組み合わせるＲＦＩＤタグ９について説明する。本実施例では、汎用性の高い、電磁誘導式で周波数１３．５６ＭＨｚのものを用いる。
また、ＲＦＩＤタグ９の構成要素に関して、アンテナパターンの大きさは４０ｍｍ×４０ｍｍとし、ＩＣチップの記憶容量は１２８０バイトのものを用いる。このＲＦＩＤタグ９を、図６に示す旅行案内ポスター３の裏上面に貼り付ける。
ＩＣチップには、あらかじめ、旅行案内ポスターに記載されている画像及び文字情報（１０ａ、１０ｂ、１０ｃ、１０ｄ、１１ａ、１１ｂ、１１ｃ）の掲示物３内における位置情報（位置領域１２ａ、１２ｂ、１２ｃ、１２ｄ、１３ａ、１３ｂ、１３ｃに基づく座標データ等）、及び各情報の関連情報へのリンク情報(ＵＲＬやファイルの所在情報等)を記録しておく。
【００５３】
なお、本実施例では電磁誘導式のＲＦＩＤタグを用いたが、マイクロ波方式等他方式のＲＦＩＤタグを用いても構わない。また、ＩＣチップに情報を記録させるのはいつでも良く、後から情報を追加、更新しても構わない。
【００５４】
次に、ＲＦＩＤタグを検知し、情報を取得する掲示板側のＲＦＩＤタグリーダーの構成について説明する。本実施例では周波数１３．５６ＭＨｚのＲＦＩＤタグ９を用いており、その最大通信距離は約１ｍである。そのため、高さ１ｍ、幅３ｍの掲示領域２全面を一つのＲＦＩＤタグリーダーアンテナ３４でカバーすることは困難である。更に、ＲＦＩＤタグリーダーアンテナ３４が形成する面積が大きすぎる場合、ＲＦＩＤタグリーダーアンテナ３４で発生する磁束密度が低下し、ＲＦＩＤタグ９を励起することが困難となる。
そこで図６に示すように、本実施例ではＲＦＩＤタグリーダーアンテナ３４として高さ幅とも約５０ｃｍのものを水平方向に３つ、垂直方向に２つ、計６つタッチパネルの裏面に配置する。各ＲＦＩＤタグリーダーアンテナ３４は、汎用のＲＦＩＤタグリーダーコントローラー３５に接続されている。ＲＦＩＤタグ９への電気信号の送信及びＲＦＩＤタグ９からの電気信号の受信は、ＲＦＩＤタグリーダーコントローラー３５により制御する。
【００５５】
上述したタッチパネルコントローラ３３及びＲＦＩＤタグリーダーコントローラー３５は、両方とも掲示板システムの処理手段１６に接続されている。システム全体の制御は、処理手段１６により行われる。
本実施例では、処理手段１６の役割を果たす処理装置４としてパーソナルコンピューターを用いる。パーソナルコンピューターはネットワークに接続し、インターネット上のサーバであるネットワークサーバ６と通信可能である。また、パーソナルコンピューターにはスピーカー７と電子ディスプレイ８が接続されている。
【００５６】
上述してきた実施例の掲示板システムにより、旅行案内ポスター３の個別情報である写真１０ｃを指定した場合、写真１０ｃの関連情報、すなわち、写真１０ｃに写っている国の伝統音楽がスピーカー７より流れ、また、その滞在スポットの紹介ビデオが電子ディスプレイ８により映し出される。これにより、ポスターだけの時よりも遥かに臨場感ある印象を与えることができる。
また、旅行案内ポスター３の個別情報である「募集人員」の文字部分１１ｂに接触すると、電子ディスプレイ８に、その文字部分１１ｂの関連情報、すなわち現在の申込者数が表示され、更にスピーカー７からは申込みを誘う案内が流れる。このように、ポスターだけの時では不可能であった最新情報の閲覧が可能となる。
【００５７】
本発明による掲示板システムを用いて提供する情報において、ＲＦＩＤタグ、掲示物、リンク先の関連情報のいずれか又は全てを更新しても構わない。
例えば、ホテルの宣伝広告のポスターであり、ホテルを紹介する動画像へのリンク情報を記録したＲＦＩＤタグを備えたものを掲示する場合、ＲＦＩＤタグやリンク先の情報はそのまま残し、季節によってポスターだけを交換すれば、古いポスターから目新しいポスターに貼りかえることにより、衆目を集めることができ、またホテルを紹介する動画像は作製し直す必要がないため、安価な費用で情報を提供することができるという効果が期待できる。逆に、観光地の案内ポスターであり、現地の天候や交通状況、催し物の案内等、頻繁に更新される情報を詳細情報として提供する場合には、ポスターとＲＦＩＤタグはそのまま利用し、リンク先の情報を更新すればよい。
この他に、ＲＦＩＤタグのリンク情報を更新することにより、リンク先を変更し、異なる詳細情報を提供することも可能である。例えば月毎のローテーションで毎年同様の詳細情報を提供しようとする場合、１２ヵ月分の詳細情報をネットワークサーバ等に格納しておき、毎月ＲＦＩＤタグのリンク情報を更新することにより、詳細情報を毎月更新することが可能となる。この方法によれば、毎年月毎に前年と同様の詳細情報を改めて作製する、あるいは詳細情報を別のところに保存しておいて月毎にネットワークサーバ等に格納し直すという手間を省くことが可能となる。
【産業上の利用可能性】
【００５８】
本発明は、掲示物を複数同時表示する機能及び掲示物に記載された個別情報の関連情報を選択的に出力する機能の両機能を有する掲示板システムに関する。
【図面の簡単な説明】
【００５９】
【図１】本発明の掲示板システムの構造を示す図である。
【図２】本発明の掲示板システムに掲示する掲示物を説明する図である。
【図３】掲示物が掲示板に掲示された時の本発明の実施手順を説明する図である。
【図４】閲覧者が掲示物の任意の箇所を指定した時の本発明の実施手順を説明する図である。
【図５】本発明の実施例におけるタッチパネルの構造を説明する図である。
【図６】本発明の掲示板システムに掲示するＲＦＩＤタグ付き掲示物を説明する図である。
【図７】本発明の実施例におけるタッチパネル中のＲＦＩＤタグリーダーの構造を説明する図である。
【図８】本発明の実施例におけるタッチパネル中のＲＦＩＤタグリーダーの構造を説明する図である。
【図９】本発明の掲示板システムに掲示する二次元バーコード付き掲示物を説明する図である。
【図１０】本発明の実施例におけるタッチパネル中の二次元バーコードリーダーの構造を説明する図である。
【符号の説明】
【００６０】
１  掲示板
２  掲示領域
３  掲示物
４  処理装置
５  ＬＡＮケーブル
６  ネットワークサーバ
７  スピーカー
８  電子ディスプレイ
９  ＲＤＩＤタグ
１０ａ，１０ｂ，１０ｃ，１０ｄ  記載された画像情報
１１ａ，１１ｂ，１１ｃ  記載された文字情報
１２ａ，１２ｂ，１２ｃ，１２ｄ  画像情報の記載位置領域
１３ａ，１３ｂ，１３ｃ  文字情報の記載位置領域
１４  掲示物検知手段
１５  掲示物情報取得手段
１６  処理手段
１７  掲示物の掲示位置登録
１８  接触位置検出手段
１９  記憶手段
２０  各情報の掲示位置への対応づけ
２１  関連情報の取得
２２  各情報の掲示位置
２３  接触位置に該当する情報特定
２４  各情報の関連情報
２５  選択された情報の関連情報出力
２６ａ，２６ｂ  光走査部
２７ａ，２７ｂ  発光素子
２８ａ，２８ｂ  ポリゴンミラー
２９  再帰性反射部材
３０  光路の例
３１ａ，３１ｂ  受光素子
３２  閲覧者による接触
３３  タッチパネルコントローラ
３４  ＲＦＩＤタグリーダーアンテナ
３５  ＲＦＩＤタグリーダーコントローラ
３６  ＲＦＩＤタグ検知手段
３７  ＲＦＩＤタグ情報取得手段
３８  二次元バーコード
３９  二次元バーコード読取手段
４０  二次元バーコード情報取得手段
４１  位置検出手段
【図１】
2006011422.tif 000003
【図２】
2006011422.tif 000004
【図３】
2006011422.tif 000005
【図４】
2006011422.tif 000006
【図５】
2006011422.tif 000007
【図６】
2006011422.tif 000008
【図７】
2006011422.tif 000009
【図８】
2006011422.tif 000010
【図９】
2006011422.tif 000011
【図１０】
2006011422.tif 000012